(57)【特許請求の範囲】
【請求項１】
コアネットワークは、ターゲット家庭用基地局情報を取得してユーザー端末ＵＥのアクセスが許可されるかを確定し、前記ＵＥのアクセスが許可されかつターゲット家庭用基地局が家庭用基地局ゲートウェイよりコアネットワークに接続される場合、ターゲット家庭用基地局情報をターゲット家庭用基地局の所属の家庭用基地局ゲートウェイに送信して、家庭用基地局ゲートウェイが受信されたターゲット家庭用基地局情報より前記ＵＥのアクセスが許可されるかを確定することを特徴とする家庭用基地局のハンドオーバー時のネットワークアクセスの制御方法。
【請求項２】
前記コアネットワークがターゲット家庭用基地局情報を取得して当該ＵＥのアクセスが許可されるかを確定する前に、
前記コアネットワークは、前記ＵＥのホワイトリストを記憶することを更に含むことを特徴とする請求項１に記載の家庭用基地局のハンドオーバー時のネットワークアクセスの制御方法。
【請求項３】
前記コアネットワークが当該ＵＥのアクセスが許可されるかを確定することは、
前記コアネットワークが前記ＵＥのホワイトリストにターゲット家庭用基地局のＣＳＧ
ＩＤが存在するかを判断し、存在すると、当該ＵＥのアクセスを許可すると判断するが、存在しないと、当該ＵＥのアクセスを許可しないと判断することを含むことを特徴とする請求項２に記載の家庭用基地局のハンドオーバー時のネットワークアクセスの制御方法。
【請求項４】
前記家庭用基地局ゲートウェイが受信されたターゲット家庭用基地局情報より前記ＵＥのアクセスが許可されるかを確定する前に、
前記家庭用基地局ゲートウェイは、自体に家庭用基地局の、当該家庭用基地局のアクセスモード情報、当該家庭用基地局におけるＣＳＧセルの識別子及び対応のＣＳＧ  ＩＤの少なくとも１つを含むアクセス制御情報を記憶することをさらに含むことを特徴とする請求項３に記載の家庭用基地局のハンドオーバー時のネットワークアクセスの制御方法。
【請求項５】
前記家庭用基地局ゲートウェイが受信された前記ターゲット家庭用基地局情報より前記ＵＥのアクセスが許可されるかを確定することは、
前記家庭用基地局ゲートウェイが受信されたターゲット家庭用基地局情報を自体に記憶した当該家庭用基地局のアクセス制御情報とマッチングさせ、成功にマッチングさせると、当該ＵＥのアクセスを許可すると判定し、失敗にマッチングさせると、当該ＵＥのアクセスを許可しないと判定することを含むことを特徴とする請求項４に記載の家庭用基地局のハンドオーバー時のネットワークアクセスの制御方法。
【請求項６】
前記ターゲット家庭用基地局情報は、普通的な基地局、家庭用基地局、家庭用基地局ゲートウェイ、無線ネットワーク制御器の１つを含むソースネットワークエレメントによってＵＥのハンドオーバー要求メッセージよりコアネットワークに送信されることを特徴とする請求項１〜５のいずれかの１つに記載の家庭用基地局のハンドオーバー時のネットワークアクセスの制御方法。
【請求項７】
前記ソースネットワークエレメントは、ＵＥが報告した測定報告より前記ターゲット家庭用基地局情報をコアネットワークに通知することを特徴とする請求項６に記載の家庭用基地局のハンドオーバー時のネットワークアクセスの制御方法。
【請求項８】
前記家庭用基地局ゲートウェイは、受信されたターゲット家庭用基地局情報より前記ＵＥのアクセスが許可されたと確定した後、
ＵＥのハンドオーバー要求メッセージをターゲット家庭用基地局に送信してＵＥセルのアクセス流れを行うことを更に含むこと特徴とする請求項７に記載の家庭用基地局のハンドオーバー時のネットワークアクセスの制御方法。
【請求項９】
前記ターゲット家庭用基地局情報は、
前記ターゲット家庭用基地局における限定加入者グループＣＳＧセルの識別子、前記ターゲット家庭用基地局のＣＳＧ識別子ＩＤ、前記ターゲット家庭用基地局のアクセスモード情報の少なくとも１つを含むことを特徴とする請求項１〜５、７〜８の何れかの１つに記載の家庭用基地局のハンドオーバー時のネットワークアクセスの制御方法。
【請求項１０】
前記ＣＳＧセルの識別子は、セル識別子、グローバルセル識別子の１つを含むことを特徴とする請求項９に記載の家庭用基地局のハンドオーバー時のネットワークアクセスの制御方法。
【請求項１１】
コアネットワークと家庭用基地局ゲートウェイを備え、
前記コアネットワークは、ターゲット家庭用基地局情報を取得してＵＥのアクセスが許可されたかを確定し、ＵＥのアクセスが許可されかつターゲット家庭用基地局が家庭用基地局ゲートウェイを介して前記コアネットワークに接続される場合、ターゲット家庭用基地局情報をターゲット家庭用基地局の所属の家庭用基地局ゲートウェイに送信し、
前記家庭用基地局ゲートウェイは、受信されたターゲット家庭用基地局情報より前記ＵＥのアクセスが許可されるかを確定し、
前記ターゲット家庭用基地局情報は、
ターゲット家庭用基地局におけるＣＳＧセルの識別子、ターゲットフェムトセのＣＳＧ
ＩＤ、ターゲット家庭用基地局のアクセスモード情報の１つを含む
ことを特徴とする家庭用基地局のハンドオーバー時のネットワークアクセスの制御システム。
【請求項１２】
前記家庭用基地局ゲートウェイは、
家庭用基地局のアクセスモード情報、当該家庭用基地局におけるＣＳＧセルの識別子及び対応のＣＳＧ  ＩＤを含む家庭用基地局のアクセス制御情報を記憶する記憶ユニットと、
ターゲット家庭用基地局情報を自体に記憶される家庭用基地局のアクセス制御情報とマッチングさせて、マッチングさせる結果に基づいてＵＥのアクセスが許可されるかを判断する判断ユニットと、を更に含む
ことを特徴とする請求項１１に記載の家庭用基地局のハンドオーバー時のネットワークアクセスの制御システム
【請求項１３】
コアネットワークに前記ターゲット家庭用基地局情報を含むＵＥのハンドオーバー要求メッセージを送信するソースネットワークエレメントを更に含むことを特徴とする請求項１２に記載の家庭用基地局のハンドオーバー時のネットワークアクセスの制御システム。
【請求項１４】
前記ソースネットワークエレメントは、さらにＵＥのＣＳＧセルハンドオーバー測定報告よりコアネットワークにＵＥのハンドオーバー要求メッセージを送信することを特徴とする請求項１３に記載の家庭用基地局のハンドオーバー時のネットワークアクセスの制御システム。
【請求項１５】
前記ソースネットワークエレメントは、普通的な基地局、家庭用基地局、家庭用基地局ゲートウェイ、無線ネットワーク制御器の１つを含むことを特徴とする請求項１３または１４に記載の家庭用基地局のハンドオーバー時のネットワークアクセスの制御システム。
【請求項１６】
前記ＣＳＧセルの識別子は、セル識別子またはグローバルセル識別子であることを特徴とする請求項１１〜１４の何れかの１つに記載の家庭用基地局のハンドオーバー時のネットワークアクセスの制御システム。
【発明の詳細な説明】
【技術分野】
【０００１】
本発明は、ネットワークアクセスの制御技術に関し、特に家庭用基地局（ＨＮＢ、Ｈｏｍｅ  Ｎｏｄｅ  Ｂ）のハンドオーバー時のネットワークアクセスの制御方法及びシステムに関する。
【背景技術】
【０００２】
ＨＮＢは、小型、低消費電力の基地局であって、家庭と事務室などの室内場所に設けられ、主にユーザーにもっと高いサービスレートを提供しハイレートサービスを使用する時に必要な費用を削減すると共に、従来の分布式無線セルラー通信システムのカバー不足を補う。ＨＮＢは、実用、便利、ローパワー出力、プラグ・アンド・プレイなどの利点がある。
【０００３】
図１はＨＮＢネットワークトポロジー構成を示す図である。図１に示すように、ＨＮＢと家庭用基地局のゲートウェイ（ＨＮＢ  ＧＷ、Ｈｏｍｅ  Ｎｏｄｅ  Ｂ  Ｇａｔｅｗａｙ）は、共に家庭用基地局アクセスネットワーク（ＨＮＢ  ＡＮ、Ｈｏｍｅ  Ｎｏｄｅ  Ｂ  Ａｃｃｅｓｓ  Ｎｅｔｗｏｒｋ）を構成し、ＨＮＢユーザーは、ＨＮＢ  ＡＮを介してコアネットワークに接続される。ＨＮＢ  ＧＷの主な機能としては、ＨＮＢの安全性を検証し、ＨＮＢの登録とＨＮＢアクセス制御を処理し、ＨＮＢを運用維持管理し、運営者の要求に基づいて家庭用基地局を配置し制御し、コアネットワークと家庭用基地局とのデータを交換するなどを担当する。
【０００４】
家庭用基地局は、家庭用基地局のゲートウェイを介せず、直接にコアネットワークに接続されることができる発展型家庭用基地局（ＨｅＮＢ、Ｈｏｍｅ  Ｅｖｏｌｕｔｉｏｎ  Ｎｏｄｅ  Ｂ）をさらに含む。
【０００５】
ＨＮＢは、個人ユーザーの専門な資源として、家庭、団体、会社または学校などの個人場所に設置されて使用され、そのカバーされた若干のセルがＨＮＢカバー領域を構成し、認定されたＨＮＢユーザー、例えば、家庭メンバー、団体メンバーなどのユーザーしかのアクセスを許可しない。普通的な基地局、即ち、基地局（ＮＢ、Ｎｏｄｅ  Ｂ）または発展型基地局（ｅＮＢ、Ｅｖｏｌｕｔｉｏｎ  ＮＢ）のセルは、全てのユーザーにサービスを提供するが、ＨＮＢがカバーしたセルは、認定されたユーザーしかサービスを提供しないので、ＨＮＢがカバーしたセルは、限定加入者グループ（ＣＳＧ、Ｃｌｏｓｅｄ  Ｓｕｂｓｃｒｉｂｅｒ  Ｇｒｏｕｐ）セルと称される。
【０００６】
ＨＮＢは、アクセスモードで以下のとおり３種類に分かられる。第１種のクローズ（ｃｌｏｓｅ）認定モードは、認定されたＣＳＧユーザー端末（ＵＥ、Ｕｓｅｒ  Ｅｑｕｉｐｍｅｎｔ）しか当該ＨＮＢがカバーしたＣＳＧセルに進入できなく、認定されないＵＥが当該ＨＮＢがカバーしたＣＳＧセルに進入できない。第２種の混合（ｈｙｂｒｉｄ）認定モードは、このようなＨＮＢがカバーしたＣＳＧセルに対して、認定されないＵＥも進入できるが、使用権が制限されることがある。第３種のオーブン（ｏｐｅｎ）認定モードは、全てのＵＥの進入が許可される。ＵＥの進入が許可されるＣＳＧセルの所属の家庭用基地局のＣＳＧ識別子（ＣＳＧ  ＩＤ）リストは、ホワイトリスト（Ｗｈｉｔｅ  Ｌｉｓｔ）と称され、ホワイトリストがコアネットワークのユーザーデーターベースに記憶される。ＵＥがあるＣＳＧセルに進入したいとき、基地局または家庭用基地局であるソースネットワークエレメントは、当該ＣＳＧセルの所属のＣＳＧ  ＩＤをコアネットワークに報告し、コアネットワークより当該ＵＥのホワイトリストに当該ＣＳＧ  ＩＤが含まれるかを判断し、含まれると、ＵＥのアクセスを許可し、含まれないと、ＵＥのアクセス要求を拒否し、このようなアクセス制御は、ＣＳＧに基づくアクセス制御と称される。
【０００７】
従来技術において、ＵＥがセルに進入する方法は、直接にターゲットセルにアクセスする方法と、ハンドオーバー方式で他のセルよりターゲットセルにハンドオーバーして進入する方法がある。図２は従来技術におけるＵＥがセルをハンドオーバーするネットワーク側の流れを示す図である。図２に示すように、ソースネットワークエレメントは、１つのＵＥのセルハンドオーバーを始めて、コアネットワークにＵＥのハンドオーバー（再定位）要求メッセージを送信する。コアネットワークは、受信した後、ＵＥのハンドオーバー要求メッセージに含まれるターゲット家庭用基地局情報より、ターゲット家庭用基地局が存在する位置を判断して、ハンドオーバー（再定位）要求メッセージをターゲット家庭用基地局に送信して、ターゲット家庭用基地局は、ＵＥのハンドオーバー要求メッセージにおける情報を読み取って、当該ＵＥをアクセスするかを判断して、コアネットワークにＵＥのハンドオーバー要求の成功／失敗応答メッセージをフィード・バックし、成功応答メッセージを受信した後、コアネットワークは、ハンドオーバー命令をソースネットワークエレメントに送信し、各ネットワークエレメントの間は、継続に後続のＵＥのセルアクセス流れを完成して、ＵＥがエアインタフェースのハンドオーバー過程を始める。コアネットワークと家庭用基地局との間に家庭用基地局ゲートウェイがあるが、本過程において、家庭用基地局ゲートウェイは、ただルーティングして転送する機能とする。
【０００８】
上述した流れから分かるように、ハンドオーバー過程を通じて、ＵＥは１つのセルに進入することができる。ＣＳＧセルの要求に応じて、当該ＣＳＧセルに進入してサービスを開始する前に、コアネットワークは、アクセス制御を行なうべきがあり、当該ＣＳＧセルが当該ＵＥホワイトリストの並ぶセルに属しないと、コアネットワークは、今回のハンドオーバー過程を拒否するべきである。しかし、ＨＮＢが家庭用基地局ゲートウェイを介してコアネットワークを接続する場合では、コアネットワークは、家庭用基地局ゲートウェイを１つの大きい無線ネットワーク制御器（ＲＮＣ、Ｒａｄｉｏ  Ｎｅｔｗｏｒｋ  Ｃｏｎｔｒｏｌｌｅｒ）または基地局とする。家庭用基地局ゲートウェイが複数のＨＮＢを管理する可能性があるので、コアネットワークにとっては、ＨＮＢが複数のＣＳＧを支持するＲＮＣまたは基地局である。コアネットワークはＨＮＢと関連の認定情報、を有せず、例えば、ＣＳＧ  ＩＤと認定モードなどの一対一対応関係を有せず、家庭用基地局ゲートウェイは、複数の認定情報を対応するだけである。ＵＥが家庭用基地局ゲートウェイのあるＨＮＢにハンドオーバーして進入することを要求するとき、コアネットワークは、ＵＥが報告したＣＳＧ  ＩＤと認定モードよりアクセス制御を行なう。コアネットワークがＨＮＢと認定情報との間の一対一対応関係を有しないため、ＵＥは、当該ＣＳＧ  ＩＤが家庭用基地局ゲートウェイのあるＨＮＢのＣＳＧ  ＩＤであたら、１つの自体のホワイトリストにおけるＣＳＧ  ＩＤを欺くに報告する、または、あるＣＳＧセルがｈｙｂｒｉｄモードあるいはモードのセルであることを欺くに報告することができる。このような手段でコアネットワーク側のＣＳＧアクセス制御を欺いて、自体に対するクローズのサブスクライバグループＣＳＧセルに進入する。このような安全な問題が生じる原因は、ＨＮＢが家庭用基地局ゲートウェイを介してコアネットワークを接続するとき、コアネットワークがただ当該家庭用基地局ゲートウェイを１つの大きいＨＮＢとして認め、各ＨＮＢの具体的な対応認定情報を持ってないことである。従って、コアネットワークが家庭用基地局ゲートウェイにおけるＨＮＢに対してアクセス制御を行なうときにＵＥは、報告した情報を依頼できなく、ＵＥが事実に報告しないときに上述した隠れた安全問題が引き起す引き起される。
【発明の概要】
【発明が解決しようとする課題】
【０００９】
本発明は、上記問題に鑑みてなされたものであり、その主な目的がネットワークアクセスの安全性を向上できる家庭用基地局のハンドオーバー時のネットワークアクセスの制御方法及びシステムを提供することにある。
【課題を解決するための手段】
【００１０】
上述した目的を達するために、本発明に係る技術案は以下のように実現される。
【００１１】
本発明に係る家庭用基地局のハンドオーバー時のネットワークアクセスの制御方法は、コアネットワークがターゲット家庭用基地局情報を取得してユーザー端末ＵＥのアクセスが許可されるかを確定し、前記ＵＥのアクセスが許可されかつターゲット家庭用基地局が家庭用基地局ゲートウェイよりコアネットワークに接続される場合、ターゲット家庭用基地局情報をターゲット家庭用基地局の所属の家庭用基地局ゲートウェイに送信して、家庭用基地局ゲートウェイが受信されたターゲット家庭用基地局情報より前記ＵＥのアクセスが許可されるかを確定する。
【００１２】
前記ターゲット家庭用基地局情報は、ターゲット家庭用基地局における限定加入者グループＣＳＧセルの識別子、ターゲット家庭用基地局のＣＳＧ識別子ＩＤ及び／またはターゲット家庭用基地局のアクセスモード情報を含む。
【００１３】
上記の技術的案において、前記コアネットワークがターゲット家庭用基地局情報を取得して当該ＵＥのアクセスが許可されるかを確定する前に、前記コアネットワークが前記ＵＥのホワイトリストを記憶することをさらに含む。
【００１４】
前記コアネットワークが当該ＵＥのアクセスが許可されるかを確定することは、前記コアネットワークが前記ＵＥのホワイトリストにターゲット家庭用基地局のＣＳＧ  ＩＤが存在するかを判断し、存在すると、当該ＵＥのアクセスを許可すると判断するが、存在しないと、当該ＵＥのアクセスを許可しないと判断する。
【００１５】
上記の技術的案において、前記家庭用基地局ゲートウェイが受信されたターゲット家庭用基地局情報より前記ＵＥのアクセスが許可されるかを確定する前に、前記家庭用基地局ゲートウェイが自体に家庭用基地局の、当該家庭用基地局のアクセスモード情報、当該家庭用基地局におけるＣＳＧセルの識別子及び対応のＣＳＧ  ＩＤの少なくとも１つを含むアクセス制御情報を記憶することをさらに含む。
【００１６】
前記家庭用基地局ゲートウェイが受信された前記ターゲット家庭用基地局情報より前記ＵＥのアクセスが許可されるかを確定することは、前記家庭用基地局ゲートウェイが受信されたターゲット家庭用基地局情報を自体に記憶した当該家庭用基地局のアクセス制御情報とマッチングさせ、成功にマッチングさせると、当該ＵＥのアクセスを許可すると判定し、失敗にマッチングさせると、当該ＵＥのアクセスを許可しないと判定する。
【００１７】
前記ターゲット家庭用基地局情報は、普通的な基地局、家庭用基地局、家庭用基地局ゲートウェイ或いは無線ネットワーク制御器の１つを含むソースネットワークエレメントによってＵＥのハンドオーバー要求メッセージよりコアネットワークに送信され、前記ソースネットワークエレメントは、ＵＥが報告した測定報告よりターゲット家庭用基地局情報をコアネットワークに通知する。
【００１８】
前記家庭用基地局ゲートウェイは、受信されたターゲット家庭用基地局情報より前記ＵＥのアクセスが許可されたと確定した後、ＵＥのハンドオーバー要求メッセージをターゲット家庭用基地局に送信してＵＥセルのアクセス流れを行う。
【００１９】
前記ターゲット家庭用基地局情報は、前記ターゲット家庭用基地局における限定加入者グループＣＳＧセルの識別子、前記ターゲット家庭用基地局のＣＳＧ識別子ＩＤ、前記ターゲット家庭用基地局のアクセスモード情報の少なくとも１つを含む。
【００２０】
前記ＣＳＧセルの識別子は、セル識別子、グローバルセル識別子の１つを含む。
【００２１】
本発明に係る家庭用基地局のハンドオーバー時のネットワークアクセスの制御システムは、ターゲット家庭用基地局情報を取得してＵＥのアクセスが許可されたかを確定し、ＵＥのアクセスが許可されかつターゲット家庭用基地局が家庭用基地局ゲートウェイを介してコアネットワークに接続される場合、ターゲット家庭用基地局情報をターゲット家庭用基地局の所属の家庭用基地局ゲートウェイに送信するコアネットワークと、
受信されたターゲット家庭用基地局情報より前記ＵＥのアクセスが許可されるかを確定する家庭用基地局ゲートウェイと、を備える。
【００２２】
ターゲット家庭用基地局情報は、ターゲット家庭用基地局におけるＣＳＧセルの識別子、ターゲットフェムトセのＣＳＧ  ＩＤ、ターゲット家庭用基地局のアクセスモード情報の１つを含む。
【００２３】
前記家庭用基地局ゲートウェイは、
家庭用基地局のアクセスモード情報、当該家庭用基地局におけるＣＳＧセルの識別子及び対応のＣＳＧ  ＩＤを含む家庭用基地局のアクセス制御情報を記憶する記憶ユニットと、
ターゲット家庭用基地局情報を自体に記憶される家庭用基地局のアクセス制御情報とマッチングさせて、マッチングさせる結果に基づいてＵＥのアクセスが許可されるかを判断する判断ユニットと、を更に含む。
【００２４】
コアネットワークに前記ターゲット家庭用基地局情報を含むＵＥのハンドオーバー要求メッセージを送信し、また、ＵＥのＣＳＧセルハンドオーバー測定報告よりコアネットワークにＵＥのハンドオーバー要求メッセージを送信するソースネットワークエレメントを更に含む。前記ソースネットワークエレメントは、普通的な基地局、家庭用基地局、家庭用基地局ゲートウェイ或いは無線ネットワーク制御器である。
【００２５】
上記の技術的案において、前記ＣＳＧセルの識別子は、セル識別子またはグローバルセル識別子である。
【発明の効果】
【００２６】
本発明に係る家庭用基地局のハンドオーバー時のネットワークアクセスの制御方法及びシステムは、家庭用基地局ゲートウェイにＵＥアクセス制御を増加し、ＵＥがハンドオーバーして家庭用基地局のセルに進入するとき、コアネットワークと家庭用基地局ゲートウェイが共にＣＳＧセルに対するアクセス制御を完成し、家庭用基地局ゲートウェイよりＵＥがコアネットワークに報告するアクセス制御情報を校正することで、不法進入イベントの発生を防止し、ネットワークアクセスの安全性を向上することができる。
【図面の簡単な説明】
【００２７】
【図１】家庭用基地局のネットワークトポロジーの構成を示す図である。
【図２】従来技術におけるＵＥがセルをハンドオーバーするネットワーク側の流れを示す図である。
【図３】本発明に係る家庭用基地局のハンドオーバー時のネットワークアクセスの制御方法の流れを示す図である。
【発明を実施するための形態】
【００２８】
本発明の基本的な考えとしては、家庭用基地局ゲートウェイにさらにＵＥのアクセス制御を増加し、コアネットワークよりＵＥのアクセスを制御すること以外に、家庭用基地局ゲートウェイもコアネットワークからのターゲット家庭用基地局のアクセス制御情報を自体に記憶した家庭用基地局のアクセス制御情報とマッチングさせて、マッチングさせる結果に基づいてＵＥのアクセスをさらに制御し、ネットワークアクセスの安全性を向上する。
【００２９】
本発明に係る家庭用基地局のハンドオーバー時のネットワークアクセスの制御システムは、ソースネットワークエレメント、コアネットワーク、家庭用基地局ゲートウェイとＨＮＢを備える。具体的には、
ソースネットワークエレメントは、コアネットワークにＵＥのハンドオーバー要求メッセージを送信する。
【００３０】
コアネットワークは、受信されたＵＥのハンドオーバー要求メッセージよりＵＥのアクセスが許可されるかを判断し、ＵＥのアクセスを許可し且つターゲット家庭用基地局が家庭用基地局ゲートウェイを介してコアネットワークに接続されるとき、ＵＥのハンドオーバー要求メッセージをターゲット家庭用基地局の所属の家庭用基地局ゲートウェイに送信し、ＵＥのアクセスを許可しないとき、ソースネットワークエレメントにハンドオーバー用意の失敗メッセージをフィード・バックする。
【００３１】
家庭用基地局ゲートウェイは、ＵＥのアクセスが許可されるかを確定して、ＵＥのアクセスを許可するとき、ＵＥのハンドオーバー要求メッセージをターゲット家庭用基地局に送信してＵＥセルのアクセス流れを行なうが、ＵＥのアクセスを許可しないとき、ハンドオーバー失敗メッセージをコアネットワークに戻させ、コアネットワークが当該ハンドオーバー失敗メッセージをソースネットワークエレメントに転送する。
【００３２】
ＨＮＢは、家庭用基地局ゲートウェイが送信したＵＥのハンドオーバー要求メッセージより、ＵＥのセルアクセス流れを行なう。
【００３３】
前記ＵＥのハンドオーバー要求メッセージは、ターゲット家庭用基地局におけるＣＳＧセルの識別子、ターゲット家庭用基地局のＣＳＧ  ＩＤ及び／またはターゲット家庭用基地局のアクセスモード情報を更に含むターゲット家庭用基地局情報を含む。
【００３４】
前記家庭用基地局ゲートウェイは、
家庭用基地局の、家庭用基地局のアクセスモード情報、当該家庭用基地局におけるＣＳＧセルの識別子及び対応のＣＳＧ  ＩＤなどの情報を含むアクセス制御情報を記憶する記憶ユニットと、
ＵＥのハンドオーバー要求メッセージにおけるターゲット家庭用基地局情報を自体に記憶したアクセス制御情報とマッチングさせ、マッチングさせる結果に基づいてＵＥのアクセスが許可されるかを判断する判断ユニットと、を更に備える。
【００３５】
前記ソースネットワークエレメントは、普通的な基地局、家庭用基地局、家庭用基地局ゲートウェイまたはＲＮＣなどであってもよく、ＵＥのＣＳＧセルハンドオーバー測定報告よりコアネットワークにＵＥのハンドオーバー要求メッセージを送信する。測定報告には、ターゲット家庭用基地局におけるＣＳＧセルの識別子、ターゲット家庭用基地局のＣＳＧ  ＩＤ及び／またはターゲット家庭用基地局のアクセスモード情報を含むターゲット家庭用基地局情報が含まれる。
【００３６】
前記コアネットワークは、前記ＵＥのホワイトリストを記憶し、当該ホワイトリストに当該ターゲット家庭用基地局のＣＳＧ  ＩＤが存在するかを判断して、存在すると、当該ＵＥのアクセスを許可すると判定し、存在しないと、当該ＵＥのアクセスを許可しないと判定する。
【００３７】
前記家庭用基地局ゲートウェイは、ターゲット家庭用基地局情報におけるＣＳＧセルの識別子、ターゲット家庭用基地局のＣＳＧ  ＩＤ及び／またはターゲット家庭用基地局のアクセスモード情報を自体に記憶したアクセス制御情報とマッチングさせ、成功にマッチングさせると、当該ＵＥのアクセスを許可すると判定し、失敗にマッチングさせると、当該ＵＥのアクセスを許可しないと判定する。前記成功にマッチングさせることは、ターゲット家庭用基地局情報におけるＣＳＧセルの識別子とＣＳＧ  ＩＤが家庭用基地局ゲートウェイに記憶した当該ＣＳＧセルの識別子と対応のＣＳＧ  ＩＤと一致し、アクセスモード情報と一致することである。
【００３８】
異なる運行条件に基づいて、前記ＣＳＧセルの識別子は、セル識別子（Ｃｅｌｌ  ＩＤ）またはグローバルＣｅｌｌ  ＩＤ（Ｇｌｏｂａｌ  Ｃｅｌｌ  ＩＤ）である。
【００３９】
図３は本発明に係る家庭用基地局のハンドオーバー時のネットワークアクセスの制御方法的流れを示す図である。図３に示すように、本発明に係るネットワークアクセスの制御方法は、以下のような内容を含む。
【００４０】
ステップ１０において、ＵＥがハンドオーバー閾値を満足するターゲット家庭用基地局におけるＣＳＧセルを検出した後、測定報告をソースネットワークエレメントに送信する。
【００４１】
測定報告は、ターゲット家庭用基地局におけるＣＳＧセルの識別子、ターゲット家庭用基地局のＣＳＧ  ＩＤ及び／またはＨＮＢのアクセスモード情報を含むターゲット家庭用基地局情報を含む。
【００４２】
ステップ１１において、ソースネットワークエレメントは、測定報告を受信した後、コアネットワークにＵＥのハンドオーバー要求メッセージを送信する。
【００４３】
本ステップにおいて、ソースネットワークエレメントは、普通的な基地局、家庭用基地局、家庭用基地局ゲートウェイまたはＲＮＣなどである。
【００４４】
ＵＥのハンドオーバー要求メッセージは、ターゲット家庭用基地局におけるＣＳＧセルの識別子、ターゲット家庭用基地局のＣＳＧ  ＩＤ及び／またはターゲット家庭用基地局のアクセスモード情報をさらに含むターゲット家庭用基地局情報を含む。
【００４５】
ステップ１２において、コアネットワークは、当該ＵＥのアクセスが許可されるかを判断して、許可されると、ステップ１３を実行し、許可されないと、ソースネットワークエレメントにハンドオーバー用意の失敗メッセージをフィード・バックし、当該ＵＥセルハンドオーバー流れが終わる。
【００４６】
本ステップにおいて、コアネットワークのユーザーデーターベースに当該ＵＥのホワイトリストが記憶され、コアネットワークは、当該ＵＥのホワイトリストにターゲット家庭用基地局のＣＳＧ  ＩＤが存在するかを判断し、存在すると、当該ＵＥのアクセスを許可すると判定し、存在しないと、当該ＵＥのアクセスを許可しないと判定する。
【００４７】
ステップ１３において、コアネットワークは、ＵＥのハンドオーバー要求メッセージをターゲット家庭用基地局の所属の家庭用基地局ゲートウェイに送信する。
【００４８】
本ステップにおいて、ＵＥのハンドオーバー要求メッセージは、ターゲット家庭用基地局におけるＣＳＧセルの識別子、ターゲット家庭用基地局のＣＳＧ  ＩＤ及び／またはターゲット家庭用基地局のアクセスモード情報をさらに含むターゲット家庭用基地局情報を含む。
【００４９】
ステップ１４において、家庭用基地局ゲートウェイは、当該ＵＥのアクセスが許可されるかを判断して、許可されると、ステップ１５を実行し、許可されないと、ハンドオーバー失敗メッセージをコアネットワークに戻して、コアネットワークが当該ハンドオーバー失敗メッセージをソースネットワークエレメントに転送して、当該ＵＥセルハンドオーバーの流れが終わる。
【００５０】
本ステップにおいて、家庭用基地局ゲートウェイは、自体に家庭用基地局の、家庭用基地局のアクセスモード情報、当該家庭用基地局におけるＣＳＧセルの識別子及び対応のＣＳＧ  ＩＤを含むアクセス制御情報を記憶して、ＵＥのハンドオーバー要求メッセージにおけるターゲット家庭用基地局におけるＣＳＧセルの識別子とＣＳＧ  ＩＤなどの情報を自体に記憶した当該ＣＳＧセルの識別子と対応のＣＳＧ  ＩＤとマッチングさせ、成功にマッチングさせると、当該ＵＥのアクセスを許可すると判定し、失敗にマッチングさせると、当該ＵＥのアクセスを許可しないと判定する。
【００５１】
ステップ１５において、家庭用基地局ゲートウェイは、ＵＥのハンドオーバー要求メッセージをターゲット家庭用基地局に送信してＵＥのセルアクセス流れを行う。
【００５２】
本ステップにおいて、ＵＥのセルのアクセス流れは、従来技術であるので、ここで説明を省略する。
【００５３】
以下、具体的な実施例を結び付けて本発明の家庭用基地局のハンドオーバー時のネットワークアクセスの制御方法を更に説明する。
【００５４】
実施例１：
本実施例は、通用移動通信システム（ＵＭＴＳ，  Ｕｎｉｖｅｒｓａｌ  Ｍｏｂｉｌｅ
Ｔｅｌｅｃｏｍｍｕｎｉｃａｔｉｏｎｓ  Ｓｙｓｔｅｍ）を例として、ソースネットワークエレメントがＲＮＣであって、ＵＥがマクロセルＭ１に停留し、ＵＥがハンドオーバーするＣＳＧセルがＨ１である。
【００５５】
ＵＭＴＳにおいて、ＵＥは、ＣＳＧセルＨ１がハンドオーバー閾値を満足することを測定したと、測定報告を基地局に送信して、基地局は、ＣＳＧセルＨ１のＣｅｌｌ  ＩＤとセルＨ１の所属のターゲット家庭用基地局のＣＳＧ  ＩＤを含む当該測定報告をサービスＲＮＣに転送する。ＲＮＣは、測定報告を受信した後、ＨＮＢへのハンドオーバーを始めると判断することにする。ＲＮＣは、コアネットワークにＣＳＧセルＨ１のＣｅｌｌ  ＩＤとセルＨ１の所属のターゲット家庭用基地局のＣＳＧ  ＩＤを含むＵＥのハンドオーバー要求（Ｈａｎｄｏｖｅｒ  Ｒｅｑｕｉｒｅｄ）メッセージを送信する。コアネットワークは、ＵＥのハンドオーバー要求を受信した後、その中に含まれるＣＳＧ  ＩＤより、コアネットワーク側に記憶されたＵＥの対応のホワイトリストに調べて、当該ＣＳＧ  ＩＤを調べることができると、アクセス制御を通すが、調べるできないと、当該ＲＮＣにハンドオーバー用意の失敗（Ｈａｎｄｏｖｅｒ  Ｐｒｅｐａｒａｔｉｏｎ  Ｆａｉｌｕｒｅ）メッセージをフィード・バックする。アクセス制御を通した後、コアネットワークは、ＣＳＧセルＨ１のＣｅｌｌ  ＩＤとセルＨ１の所属のターゲット家庭用基地局のＣＳＧ  ＩＤを含むＵＥのハンドオーバー要求メッセージをターゲットセルＨ１の所属の家庭用基地局ゲートウェイに送信する。家庭用基地局ゲートウェイは、ＵＥのハンドオーバー要求を受信した後、ＵＥに対してアクセス制御を行う必要があり、その中に含まれるＣＳＧセルＨ１のＣｅｌｌ  ＩＤとＣＳＧ  ＩＤを自体に記憶した当該ＣＳＧセルＨ１のＣｅｌｌ  ＩＤと対応のＣＳＧ  ＩＤとマッチングさせ、失敗にマッチングさせると、ハンドオーバーを拒否し、ハンドオーバー失敗（Ｈａｎｄｏｖｅｒ  Ｆａｉｌｕｒｅ）メッセージをコアネットワークに戻させ、コアネットワークがハンドオーバー失敗メッセージをＲＮＣに転送し、当該ハンドオーバー流れが終わる。成功にマッチングさせると、ハンドオーバーを許可し、家庭用基地局ゲートウェイは、ＵＥのハンドオーバー要求メッセージを家庭用基地局に送信してＵＥのセルアクセス流れを行う。
【００５６】
実施例２：
本実施例は、長期発展型（ＬＴＥ、Ｌｏｎｇ  Ｔｅｒｍ  Ｅｖｏｌｕｔｉｏｎ）システムを例として、ソースネットワークエレメントがｅＮＢであって、ＵＥがマクロセルＭ１に停留し、ＵＥがハンドオーバーするターゲットセルがＨ１である。
【００５７】
ＬＴＥシステムにおいて、ＵＥは、ＣＳＧセルＨ１がハンドオーバー閾値を満足することを測定したと、ターゲットセルＨ１のＣｅｌｌ  ＩＤとセルＨ１の所属のターゲット家庭用基地局のＣＳＧ  ＩＤを含む測定報告をサービスｅＮＢに送信する。ｅＮＢは、測定報告を受信した後、ＨＮＢへのハンドオーバーを始めると判断することにする。ｅＮＢは、コアネットワークにターゲットセルＨ１のＣｅｌｌ  ＩＤとセルＨ１の所属のターゲット家庭用基地局のＣＳＧ  ＩＤを含むＵＥのハンドオーバー要求メッセージを送信する。コアネットワークは、ＵＥのハンドオーバー要求メッセージを受信した後、その中に含まれるＣＳＧ  ＩＤより、コアネットワーク側に記憶されたＵＥの対応のホワイトリストに調べて、当該ＣＳＧ  ＩＤを調べできると、アクセス制御を通すが、調べきないと、ソースｅＮＢにハンドオーバー用意の失敗メッセージをフィード・バックする。アクセス制御を通したら、コアネットワークは、ＣＳＧセルＨ１のＣｅｌｌ  ＩＤとセルＨ１の所属のターゲット家庭用基地局のＣＳＧ  ＩＤを含むＵＥのハンドオーバー要求メッセージをターゲット家庭用基地局の所属の家庭用基地局ゲートウェイに送信する。家庭用基地局ゲートウェイは、ＵＥのハンドオーバー要求メッセージを受信したらＵＥに対してアクセス制御を行う必要があり、その中に含まれるＣＳＧセルのＣｅｌｌ  ＩＤとＣＳＧ  ＩＤを自体に記憶した当該ＣＳＧセルＨ１のＣｅｌｌ  ＩＤと対応のＣＳＧ  ＩＤとマッチングさせ、失敗にマッチングしたら、ハンドオーバーを拒否し、ハンドオーバー失敗メッセージをコアネットワークに戻させ、コアネットワークが当該ハンドオーバー失敗メッセージをｅＮＢに転送し、当該ハンドオーバー流れが終わる。成功にマッチングすると、ハンドオーバーを許可し、家庭用基地局ゲートウェイは、ＵＥのハンドオーバー要求メッセージを家庭用基地局に送信してＵＥのセルアクセス流れを行う。
【００５８】
実施例３：
本実施例は、ＬＴＥシステムを例として、ソースネットワークエレメントがＨｅＮＢであって、ＵＥがＣＳＧセルＨ１に停留し、ＵＥがハンドオーバーするターゲットセルがＨ２である。
【００５９】
ＬＴＥシステムにおいて、ＣＳＧセルＨ１が存在するＨｅＮＢは、直接にコアネットワークと接続する。ＵＥは、ＣＳＧセルＨ２がハンドオーバー閾値を満足することを測定したら、ＣＳＧセルＨ２のＣｅｌｌ  ＩＤとセルＨ２の所属のターゲット家庭用基地局のＣＳＧ  ＩＤを含む測定報告をＨ１が存在するサービスＨｅＮＢに送信する。ＨｅＮＢは、測定報告を受信した後、家庭用基地局へのハンドオーバーを始めると判断することにする。ＨｅＮＢは、コアネットワークにＣＳＧセルＨ２のＣｅｌｌ  ＩＤとセルＨ２の所属のターゲット家庭用基地局のＣＳＧ  ＩＤを含むＵＥのハンドオーバー要求メッセージを送信する。コアネットワークは、ＵＥのハンドオーバー要求メッセージを受信した後、その中に含まれるＣＳＧ  ＩＤより、コアネットワーク側に記憶されたＵＥの対応のホワイトリストに調べて、当該ＣＳＧ  ＩＤを調べできると、アクセス制御を通すが、調べできないと、ソースＨｅＮＢにハンドオーバー用意の失敗メッセージをフィード・バックする。アクセス制御を通した後、コアネットワークは、ＣＳＧセルＨ２のＣｅｌｌ  ＩＤとセルＨ２の所属のターゲット家庭用基地局のＣＳＧ  ＩＤを含むＵＥのハンドオーバー要求メッセージをターゲット家庭用基地局の所属の家庭用基地局ゲートウェイに送信する。家庭用基地局ゲートウェイは、ＵＥのハンドオーバー要求メッセージを受信した後、ＵＥに対してアクセス制御を行なう必要があり、その中に含まれるＣＳＧセルのＣｅｌｌ  ＩＤとＣＳＧ  ＩＤを自体に記憶した当該ＣＳＧセルＨ２のＣｅｌｌ  ＩＤと対応のＣＳＧ  ＩＤとマッチングさせ、失敗にマッチングさせるとハンドオーバーを拒否して、ハンドオーバー失敗メッセージをコアネットワークに戻させ、コアネットワークが当該ハンドオーバー失敗メッセージをＨｅＮＢに転送し、当該ハンドオーバー流れが終わる。成功にマッチングさせると、ハンドオーバーを許可し、家庭用基地局ゲートウェイは、ＵＥのハンドオーバー要求メッセージを家庭用基地局に送信してＵＥのセルアクセス流れを行なう。
【００６０】
実施例４：
本実施例は、ＬＴＥシステムを例として、ソースネットワークエレメントがｅＮＢであって、ＵＥがマクロセルＭ１に停留し、ＵＥがハンドオーバーするＣＳＧセルがＨ１であって、且つＨ１がｈｙｂｒｉｄセルである。
【００６１】
ＬＴＥシステムにおいて、ＵＥは、ＣＳＧセルＨ１がハンドオーバー閾値を満足することを測定し、かつ、ＣＳＧセルＨ１がｈｙｂｒｉｄセルであると、ＣＳＧセルＨ１のＣｅｌｌ  ＩＤ、セルＨ１の所属のターゲット家庭用基地局のＣＳＧ  ＩＤとｈｙｂｒｉｄモード情報を含む測定報告をサービスｅＮＢに送信する。ｅＮＢは、測定報告を受信した後、ＨＮＢへのハンドオーバーを始めると判断することにする。ｅＮＢは、コアネットワークにＣＳＧセルＨ１のＣｅｌｌ  ＩＤ、セルＨ１の所属のターゲット家庭用基地局のＣＳＧ  ＩＤとセルのｈｙｂｒｉｄモード情報を含むＵＥのハンドオーバー要求メッセージを送信する。コアネットワークは、ＵＥのハンドオーバー要求メッセージを受信した後、その中に含まれるＣＳＧ  ＩＤより、コアネットワーク側に記憶されたＵＥの対応のホワイトリストに調べて、当該ＣＳＧ  ＩＤを調べできると、アクセス制御を通すが、調べできないと、ＣＳＧセルがｈｙｂｒｉｄセルであるので、非ＣＳＧメンバーのアクセスを許可し、ＵＥのアクセスを許可する。アクセス制御を通した後、コアネットワークは、ＣＳＧセルＨ１のＣｅｌｌ  ＩＤ、セルＨ１の所属のターゲット家庭用基地局のＣＳＧ  ＩＤとｈｙｂｒｉｄモード情報を含むＵＥのハンドオーバー要求メッセージをターゲット家庭用基地局の所属の家庭用基地局ゲートウェイに送信する。家庭用基地局ゲートウェイは、ＵＥのハンドオーバー要求メッセージを受信したらＵＥに対してアクセス制御を行なう必要があり、その中に含まれるＣＳＧセルのＣｅｌｌ  ＩＤ、ＣＳＧ  ＩＤ及びｈｙｂｒｉｄモード情報を自体に記憶した当該ＣＳＧセルＨ１のＣｅｌｌ  ＩＤ、対応のＣＳＧ  ＩＤ及びモード情報とマッチングさせ、失敗にマッチングさせると、ハンドオーバーを拒否し、ハンドオーバー失敗メッセージをコアネットワークに戻させ、コアネットワークがハンドオーバー失敗メッセージをｅＮＢに転送し、当該ハンドオーバー流れが終わる。成功にマッチングさせると、ハンドオーバーを許可し、家庭用基地局ゲートウェイは、ＵＥのハンドオーバー要求メッセージを家庭用基地局に送信してＵＥのセルアクセス流れを行なう。
【００６２】
実施例５：
本実施例は、ＬＴＥシステムを例として、ソースネットワークエレメントがｅＮＢであって、ＵＥがマクロセルＭ１に停留し、ＵＥがハンドオーバーしたＣＳＧセルがＨ１であって、且つＨ１がｏｐｅｎセルである。
【００６３】
ＬＴＥシステムにおいて、ＵＥは、ＣＳＧセルＨ１がハンドオーバー閾値を満足することを測定し、かつＨ１がｏｐｅｎセルであると、ＣＳＧセルＨ１のＣｅｌｌ  ＩＤ、ｏｐｅｎモード情報を含む測定報告をサービスｅＮＢに送信する。ｅＮＢは、測定報告を受信した後、ＨＮＢへのハンドオーバーを始めると判断することにする。ｅＮＢは、コアネットワークにＣＳＧセルＨ１のＣｅｌｌ  ＩＤとｏｐｅｎモード情報を含むＵＥのハンドオーバー要求メッセージを送信する。コアネットワークは、ＵＥのハンドオーバー要求メッセージを受信した後、ＣＳＧセルＨ１がｏｐｅｎモードであることを発見すると、アクセス制御を通し、ＣＳＧセルＨ１のＣｅｌｌ  ＩＤとｏｐｅｎモード情報を含むＵＥのハンドオーバー要求メッセージをターゲット家庭用基地局の所属の家庭用基地局ゲートウェイに送信する。家庭用基地局ゲートウェイは、ＵＥのハンドオーバー要求メッセージを受信した後、ＵＥに対してアクセス制御を行なうことが必要があり、その中に含まれるＣＳＧセルのＣｅｌｌ  ＩＤとｏｐｅｎモード情報を自体に記憶した当該ＣＳＧセルＨ１のＣｅｌｌ  ＩＤ、アクセスモード情報とマッチングさせ、失敗にマッチングさせると、ハンドオーバーを拒否し、ハンドオーバー失敗メッセージをコアネットワークに戻させ、コアネットワークが当該ハンドオーバー失敗メッセージをｅＮＢに転送し、当該ハンドオーバー流れが終わる。成功にマッチングさせると、ハンドオーバーを許可し、家庭用基地局ゲートウェイは、ＵＥのハンドオーバー要求メッセージを家庭用基地局に送信してＵＥのセルアクセス流れを行う。
【００６４】
要するに、本発明の技術的案は、ＨＮＢの場合で家庭用基地局のハンドオーバー時のアクセス制御方法及びシステムを定義して、端末ユーザーがハンドオーバーより、合理的に合法的に使用可能なＨＮＢの場合で移動することができるになる。
【００６５】
上述したものは、好適な実施の形態だけであるが、本発明を限定することに用いられるものではない。
【図１】
0005342015.tif 000002
【図２】
0005342015.tif 000003
【図３】
0005342015.tif 000004